(57)【要約】【課題】  回路遮断器における２０Ａ程度のＤＣ小電流の遮断では、接点間で発生する磁界が弱く、アークが駆動し難いことに加え、交流のように零点がないことから遮断が困難という問題があった。【解決手段】  本発明は、電路に流れる過電流または短絡電流を遮断する回路遮断器であって、電路に接続され、固定接点を備えた固定接触子と、固定接点と接触または開離する可動接点を備えた可動接触子と、接点間に発生したアークを消孤する消孤装置を備え、固定接触子は、電源端子を逆Ｌ字形状に折り曲げ、続けてＬ字形状に折り曲げ、折り曲げた水平な板材の中央部を逆コ字形状に打ち抜き、さらに中央の細長い突起部は残した状態で水平の板材を階段状に折り曲げて形成し、固定接触子の細長い突起部に固定接点を配置し、細長い突起部の裏側にアークランナを配置しアークランナに永久磁石を設置したことを特徴とする。【選択図】  図２Ｂ
2014183028.tif 000002
【特許請求の範囲】
【請求項１】
電路に流れる過電流または短絡電流を遮断する回路遮断器であって、
前記電路に接続され、固定接点を備えた固定接触子と、該固定接点と対向して配置され、接触または開離する可動接点を備えた可動接触子と、該固定接点と該可動接点間に発生したアークを消孤する消孤装置を備え、
前記固定接触子は折り返した形状の細長い突起部を形成し、
前記固定接触子の細長い突起部に前記固定接点を配置し、
該細長い突起部の裏側にアークランナを配置し、該アークランナに永久磁石を設置したことを特徴とする回路遮断器。
【請求項２】
請求項１記載の回路遮断器において、
前記固定接触子は、電源端子を逆Ｌ字形状に折り曲げ、続けてＬ字形状に折り曲げ、該折り曲げた水平な板材の中央部を逆コ字形状に打ち抜き、さらに中央の細長い突起部は残した状態で前記水平の板材を階段状に折り曲げて形成したことを特徴とする回路遮断器。
【請求項３】
請求項１記載の回路遮断器において、
前記アークランナは、中央に凹部形状を形成し、該凹部形状に前記永久磁石を設置し、該永久磁石の両側につい立てを形成することを特徴とする回路遮断器。
【請求項４】
請求項１記載の回路遮断器において、
前記可動接点と前記固定接点で発生したアークを回動させ、前記消孤装置で消孤することを特徴とする回路遮断器。
【請求項５】
電路に流れる過電流または短絡電流を遮断する回路遮断器であって、
前記電路に接続され、固定接点を備えた固定接触子と、該固定接点と対向して配置され、接触または開離する可動接点を備えた可動接触子と、該固定接点と該可動接点間に発生したアークを消孤する消孤装置を備え、
前記固定接触子は、電源端子を逆Ｌ形に折り曲げ、該折り曲げた水平な板材の中央部を抜き、ヨ字形状を形成し、さらに中央の細長い突起部は残した状態で前記水平の板材を階段状に折り曲げて形成し、
前記固定接触子の細長い突起部に前記固定接点を配置し、
該突起部に配置した前記固定接点の負荷側または電源側に永久磁石を設置したことを特徴とする回路遮断器。
【発明の詳細な説明】
【技術分野】
【０００１】
本発明は、電路の過電流及び短絡電流を遮断する回路遮断器に係り、特にＤＣ電流を遮断する回路遮断器に関する。
【背景技術】
【０００２】
本技術分野の背景技術として、特許文献１（特開２０１１−１２９３８５号公報）がある。特許文献１には、回路遮断器のアーク駆動力を高めるために、一対の脚部を有するＵ字状の磁性体を固定接触子の固定接点を取り囲むように配置し、かつ前記脚部を前記接点間に発生したアークの両側に位置させるとともに、前記磁性体の脚部に永久磁石を配置することが記載されている。
【先行技術文献】
【特許文献】
【０００３】
【特許文献１】特開２０１１−１２９３８５号公報
【発明の概要】
【発明が解決しようとする課題】
【０００４】
回路遮断器における電流の遮断は、電流通過により発生する磁界を利用した電磁力によりアークを駆動させることで行っている。例えば、ＤＣ電流が２０Ａ程度以下の遮断では、電流通過により発生する磁界が弱く、アークが駆動しにくい。また、交流電流のように零点がないため遮断が困難という問題がある。
【０００５】
前記特許文献1には、接点上の一方向へ磁界を発生させるように、永久磁石を遮断器内に配置することで、電磁力を発生させアークを遮断器の電源側に駆動させ、遮断する技術が記載されているが、電流の極性を変化させると、アークが負荷側に駆動し、遮断能力が落ちるため通電方向が限定されるといった問題がある。
【課題を解決するための手段】
【０００６】
上記課題を解決するために、例えば特許請求の範囲に記載の構成を採用する。
本願は上記課題を解決する手段を複数含んでいるが、その一例を挙げるならば、「電路に流れる過電流または短絡電流を遮断する回路遮断器であって、前記電路に接続され、固定接点を備えた固定接触子と、該固定接点と対向して配置され、接触または開離する可動接点を備えた可動接触子と、該固定接点と該可動接点間に発生したアークを消孤する消孤装置を備え、前記固定接触子は折り返した形状の細長い突起部を形成し、前記固定接触子の細長い突起部に前記固定接点を配置し、該細長い突起部の裏側にアークランナを配置し、該アークランナに永久磁石を設置したことを特徴とする回路遮断器。」を特徴とする。
【発明の効果】
【０００７】
本発明によれば、比較的小さい２０Ａ程度以下のＤＣ電流対応の回路遮断器の場合、アークランナに永久磁石を配置した比較的簡易な構成で、電流の通電方向に限定されない直流対応の回路遮断器を提供することができる。
【図面の簡単な説明】
【０００８】
【図１】本発明の実施例1における回路遮断器の全体構成の断面図を示す。
【図２Ａ】図１の回路遮断器の固定接触子、可動接触子及び消孤装置の構成の斜視図を示す。
【図２Ｂ】図２Ａの固定接触子及びアークランナを１／２カットした固定接触子、可動接触子及び消孤装置の構成の斜視図を示す。
【図３Ａ】固定接触子の外観斜視図を示す。
【図３Ｂ】図３Ａに示したＡ−Ａ断面図を示す。
【図３Ｃ】図３Ａに示したＢ−Ｂ断面図を示す。
【図４】アークランナ及び永久磁石の外観斜視図を示す。
【図５】固定接点上のアークの足に作用する磁界及び電磁力を説明する図を示す。
【図６Ａ】接点間に発生したアークが電磁力により移動することを説明する図を示す。
【図６Ｂ】接点間に発生したアークが電磁力により移動することを説明する図を示す。
【図７】接点間のアークが固定接点上を回動する図を示す。
【図８】本発明の実施例２の構成図を示す。
【図９】固定接点上のアークに作用する磁界、電磁力を説明する図を示す。
【発明を実施するための形態】
【０００９】
以下、本発明の実施形態を図面を用いて説明する。
（実施例１）
図１は、本発明の実施例１の回路遮断器の全体構成の断面図を示す。
図１において、１０は回路遮断器、１１は電源側端子、１２は固定接触子で、折り返した形状を有し、１３は折り返し形状の固定接触子１２に設置した固定接点、１４は折り返し形状の固定接触子に設置したアークランナ、１５はアークランナ１４に配置した永久磁石、１６は可動接点、１７は可動接触子、１８は接点間に発生したアークを消孤する消孤装置、１９は電流をＯＮ−ＯＦＦするための可動接触子１７を駆動する開閉機構（点線枠）、２０は過電流または短絡電流が流れた際に開閉機構１９を駆動し、接点を開離させる引き外し装置（点線枠）である。
２１、２４は電流を流す導体、２２は温度により変化するバイメタル、２５は負荷側端子、２６は可動部、２７は可動接触子の回動支点、２８は可動コア、２９は固定コア、３０は開閉機構部や引き外し機構などを収納するケース、３１はケース３０のカバーである。
【００１０】
次に、回路遮断器１０の構成について説明する。
図１において、回路遮断器１０は電源側端子を逆Ｌ字形状に折り曲げ、続けてＬ字形状に折り曲げ、平らな部分を一部有し、さらに折り曲げ、階段状とし固定接触子１２を形成し、固定接点１３を設置する。
また、固定接触子１２にはアークランナ１４を設置し、アークランナ１４には永久磁石１５を配置する。この固定接触子１２の構成については後で詳細に説明する。
【００１１】
固定接点１３に対向する位置に可動接点１６が配置され、可動接点１６は可動接触子１７に設置、固定されている。また、電流を遮断する際に接点間に発生したアークを消孤する消孤装置１８を可動接触子１７の周囲に配置する。
可動接触子１７は、フレキシブルな導体２１に接続され、導体２１は引き外し装置２０を構成しているバイメタル２２に接続される。バイメタル２２は、ケース３０内でほぼ垂直に配置し、バイメタル２２の中央部より導体２４に接続し、導体２４は負荷側端子２５に接続される。
引き外し装置２２を構成するバイメタル２２は、過電流による熱で先端が変形し、変形することにより可動部２６を押し、開閉機構１９を動作させ、接点を開離し電路を遮断する。
【００１２】
また、引き外し装置２２は、電路に過電流が流れたとき開閉機構１９を動作させるバイメタルと、電路の短絡電流が流れたとき開閉機構１９を動作させる電磁式引き外し機構をバイメタル２２の隣に並んで配置している。
電磁式引き外し機構は、可動コア２８と固定コア２９を設置し、短絡電流が流れると電磁力が発生し、可動コア２８を吸引し、可動部２６を押し、開閉機構１９を動作させ、接点を開離し電路を遮断する。
【００１３】
次に、回路遮断器の可動接触子と固定接触子の周囲の構成について説明する。
図２Ａは、固定接触子、可動接触子、アークランナ及び消孤装置の構造の斜視図を示し、図２Ｂは、図２Ａの固定接触子の部分を電源・負荷側方向に１／２カットした場合の斜視図を示し、双方とも接点が開放された状態を示している。
【００１４】
図２Ａにおいて、電源側端子１１は電源ラインと接続するための孔１１１を有し、逆Ｌ字形状に折り曲げ、続けてＬ字形状に折り曲げ、固定接触子１２を形成する。この固定接触子１２の構成については後で詳細に説明する。
固定接触子１２の細長い突起１２１のほぼ中央部には固定接点１３を配置し、固定接点１３に対向する箇所に可動接点１６を可動接触子１７の先端に配置し、可動接触子１７は孔２７を支点として回動し、可動接点１６が固定接点１３と接触したり開離したりする。
また、固定接触子１２の細長い突起１２１の下側にはアークランナ１４を配置する。そしてアークランナ１４にはつい立て１４１を中央部に設けている。さらに、可動接触子１７と固定接触子１２の周囲を取り囲むように消孤装置１８を配置する。消孤装置１８は、複数の板材を所定の間隔を持たせ、積み上げる構成としている。
【００１５】
また、図２Ｂにおいて、アークランナ１４は凹部形状を有し、固定接点１３の下側に永久磁石１５を配置する。
このように固定接点１３の下側に永久磁石１５を配置した構成により、接点の周囲に磁界を発生させ、接点間で発生したアークに電磁力を加え、アークを駆動することができる。
【００１６】
次に、本発明の固定接触子及びアークランナについて、図３Ａ、図３Ｂ及び図３Ｃを用いて説明する。図３Ａは固定接触子とアークランナの外観斜視図を示し、図３Ｂは図３Ａに示したＡ−Ａ断面を示し、図３Ｃは図３Ａに示したＢ−Ｂ断面を示す。
【００１７】
図３Ａにおいて、電源側端子１１には、電源側ラインと接続するための孔１１１を有し、逆Ｌ字形状に折り曲げ、続けてＬ字形状に折り曲げ、固定接触子１２を形成する。また、固定接触子１２は、折り曲げた箇所より平らな部分を有し、この平らな部分で中央に固定接点１３を配置するための細長い突起１２１を負荷側の辺から形成し、突起の周囲を逆コ字形状の孔１２２を形成するように打ち抜く。そして逆コ字形状の孔１２２を有する負荷側寄りの部分で、細長い突起１２１はそのままで周囲を階段状に折り曲げる。従って、固定接触子１２の細長い突起１２１は階段状に折り曲げた高さで、電源側に突き出た形状となり、この細長い突起１２１の下側は孔１２２により空間を有する。固定接触子１２の細長い突起１２１のほぼ中央には固定接点１３を設置、固定し、この固定接点１３の位置は可動接点１６と合致する位置とする。
また、細長い突起１２１の裏側には、図４に示すようなアークランナ１４を配置するが、これは図３Ｂを用いて説明する。
【００１８】
図３Ｂは、図３ＡのＡ−Ａ断面図を示す。図３Ｂにおいて、固定接触子１２は、電源側端子１１を逆Ｌ字形状に折り曲げ、続けてＬ字形状に折り曲げ、平らな部分をプレスなどにより打ち抜き孔１２２の部分を形成し、階段状に折り曲げ、固定接点１３を配置する細長い突起１２１は折り曲げないで、固定接点１３を固定している。この固定接点１３を固定している固定接触子１２の細長い突起１２１の下側にアークランナ１４を配置する。
アークランナ１４は、固定接点１３のほぼ真下に永久磁石１５を配置するため凹部形状を有し、固定接触子１２の細長い突起１２１にかしめなどで固定する。
また、このアークランナ１４の構造は図４に外観斜視図を示しているが、永久磁石１５を配置する電源・負荷側方向に対し直角方向についたて１４１を両側に配置し、永久磁石１５を覆う構成にする。
【００１９】
次に、図３Ｃに図３ＡのＢ−Ｂ断面図を示す。図３Ｃにおいて、アークランナ１４は、固定接触子１２の細長い突起１２１に固定した固定接点１３のほぼ真下に永久磁石１５を配置し、その両側についたて１４１を形成している。
このような図３Ｃの構成において、永久磁石１５の磁極の上側をＮ極、下側をＳ極とすると、磁力線４０はＮ極からＳ極に向かって放物線を描くように出ている。また、永久磁石１５からの磁力線はＮ極から３６０度全周に渡って出て、全周に出ていた磁力線はアークランナ１４の金属のつい立て１４１の端に集中する。そしてＳ極に戻るような磁力線を描く。
【００２０】
次に、本発明のアークランナ１４について説明する。
図４は、アークランナ１４及び永久磁石１５の外観斜視図を示す。
アークランナ１４は、電源・負荷側方向に凹部形状を有し、この凹部形状に永久磁石１５を設置する。永久磁石１５の極の位置は垂直方向とし、上側にＮ極、下側にＳ極となるように配置する。場合によっては極を逆にすることも可能である。また、アークランナ１４の電源・負荷側方向と直交する方向に、つい立て１４１を永久磁石１５の両側に形成する。このつい立て１４１は、永久磁石１５のＮ極から出た磁力線がつい立て１４１の端面に集中して入り、アークランナ１４を介してＳ極に入るようにするためである。
【００２１】
ここで、永久磁石１５の種類について説明すると、永久磁石として、鉄の酸化物を含んだ結晶体の集まりであるフェライト磁石、ネオジウム、鉄、ホウ素を主成分とするレアアース磁石で、永久磁石で最も磁力の強力なネオジウム磁石、サマリウムとコバルトで構成されたサマリウムコバルト磁石、アルミニウム、ニッケル、コバルトなどを原料として鋳造されたアルニコ磁石などがある。
【００２２】
次に、回路遮断器の可動接点１６と固定接点１３が接触した閉極状態から過電流や短絡電流により両接点が離れる開極状態に移行するとき、両接点間にアークが発生する。
また、アークは、両接点間の電位差及び消孤装置１８に接触し、冷却されることにより消孤する。交流回路の場合、電流零点が存在するため両接点間に発生したアークは短時間で消孤する。しかし、直流回路においては、直流零点が存在しないためアークが消孤され難く、長時間持続するかもしくは遮断不能となるケースもある。
【００２３】
特に、例えば２０Ａ程度以下の小電流域では、接触子を流れる電流から発生する磁界が小さいため、アーク自身に作用する電磁力が弱く、アーク駆動力が低下する。そのため、アークが接点上に停滞してしまい、遮断が困難になる。
そこで、本実施例では固定接点のすぐ下に永久磁石１５を配置することで、接点の周囲に磁界を発生させ、アークを駆動する。
【００２４】
次に、図２Ａ及び図２Ｂに示した本発明の実施例１の構成において、過電流等により発生したアークについて図５〜図８を用いて説明する。
図５において、図５（ａ）は固定接点上のアークの状態を示す図で、図５（ｂ）は図５（ａ）の中心線上の断面図を示す。
図５（ａ）は固定接点上の磁界の方向４０及びアークに付加される電磁力の方向を示し、永久磁石１５は固定接点１３に近い方をＮ極、遠い方をＳ極とし、通電方向は可動接点１６から固定接点１３に流れる場合について説明する。
可動接点と固定接点に発生したアーク７０は、永久磁石１５の磁界及びアーク自体に流れる電流により電磁力を受け、その方向はフレミングの左手の法則に従う。固定接点上からみた磁界の方向は、中心線を軸に対称になっており、位置により異なる。
そのため、アーク７０に働く電磁力の方向も位置によって異なるため、電磁力を受け移動したアーク７０は方向を変えて動くので、固定接点上で時計回りに円を描くように移動する。
すなわち、図５（ａ）において、４１はアーク７０の足（アークと固定接点が接触する点を足と呼ぶことにする）を表し、紙面に対し表より裏に垂直に電流が流れることを意味する。
また、足４１の点における磁界の方向は矢印５１の方向で、真下にある永久磁石１５より固定接点１３を介して固定接点１３の中心より放射状に出る方向である。磁界の方向は、磁力線の方向で、永久磁石のＮ極より放物線状に出てＳ極に戻るので固定接点上では放射状に出る方向となる。
従って、フレミングの左手の法則より電磁力は、矢印６１のように働き、アーク７０は移動する。
【００２５】
次に、アーク７０が足４１より電磁力６１により足４２に移動した場合、足４２では、アーク７０に流れる電流の向きは紙面に対し表より裏に垂直に流れる方向で、磁界の方向は矢印５２のように下向きの方向であるので、電磁力は矢印６２に示す斜め左上方向となる。従って、アーク７０は斜め左上方向に移動する。
次に、アーク７０が足４２より電磁力６２により足４３に移動した場合、足４３では、アーク７０に流れる電流の方向は、紙面に対して表より裏に垂直な方向で、磁界の方向は矢印５３で示す斜め左下方向であるため、電磁力は矢印６３のように上向き方向に働く。従って、アーク７０は上方に移動する。
次に、アーク７０が足４３より足４４に移動した場合、足４４では、アーク７０に流れる電流の方向は紙面に対して表より裏に垂直な方向で、磁界の方向は矢印５４で示す斜め左上方向であるため、電磁力は矢印６４のように斜め右上方向に働く。従って、アーク７０は斜め右上に移動する。
次に、アーク７０が足４４から足４５に移動した場合、足４５では、アーク７０に流れる電流の方向は紙面に対して表より裏に垂直な方向で、磁界の方向は矢印５５で示す上向き方向であるため、電磁力は矢印６５のように右方向に働く。従って、アーク７０は右方向に移動する。
次に、アーク７０が足４５から足４６に移動した場合、足４６では、アーク７０に流れる電流の方向は紙面に対して表より裏に垂直な方向で、磁界の方向は矢印５６で示す斜め右上方向であるため、電磁力は矢印６６のように斜め右下方向に働く。従って、アーク７０は斜め右下方向に移動する。
【００２６】
そして、アーク７０が足４６から足４１に移動し、アーク７０は連続して動くので、固定接点１３上を時計方向に円を描くように動くことになる。
【００２７】
図５（ｂ）は、アーク７０と永久磁石１５の磁界を示す。図５（ｂ）において、アーク７０は可動接触子１７に固定した可動接点１６と固定接触子１２１に固定した固定接点１３の間に発生する。アーク７０に示した矢印は電流の向きを表している。また、アークランナ１４に配置した永久磁石１５で上側をＮ極、下側をＳ極とすると、磁力線４０は図に示すようにＮ極面より全周に渡って放射状に出て放物線を描きながらＳ極に戻る。また、磁力線の途中に図３Ｃに示すようなアークランナ１４のつい立て１４１などが存在すると、磁力線はその金属板に集中して通る。
【００２８】
次に、アーク７０が接点間で円を描く状態を図６Ａ及び図６Ｂにより説明する。図６Ａは可動接点１６と固定接点１３の間にアーク７１が発生し、フレミングの左手の法則により電磁力が働いて矢印８０のようにアーク７１が移動し、アーク７２の位置に移動した状態を示す。そして図６Ａに示したアークの状態から、次に図６Ｂに示すアークの状態に移動する。
図６Ｂは、図６Ａのアーク７２がフレミングの左手の法則により電磁力の働きで矢印８１のように移動し、アーク７３になった状態を示している。
この図６Ａから図６Ｂに示したように接点間に生じたアークは、連続して固定接点１３上及び可動接点１６上で円を描くように移動し回動する。
【００２９】
次に、図７に接点間に発生したアーク７０の動きの状態の図を示す。
図７において、図７（ａ）はアークの動きの状態を示し、図７（ｂ）はアークの中央部の断面図を示す。図７（ａ）は可動接点１６と固定接点１３との間に発生したアーク７０の動きを表したもので、実際は連続して円を描いて動いている。また、アーク７０は中央部が円弧状の膨らんだ形状を示す。
【００３０】
次に、図７（ｂ）は、アーク７０の中央部のＣ−Ｃ断面図を示す。
図７（ｂ）は、アーク７０がフレミングの左手の法則によって電磁力が働き、時計回りに回転する動きを示している。
また、アーク７０の電流の向きを固定接触子１２から可動接触子１７の方向とすると、アーク７０は反時計回りに回転する。または、永久磁石のＮ極とＳ極を逆にしてもアーク７０は反時計方向に回転する。
そして、接点上で移動するアーク７０は、消弧装置１８の内壁に接触しながら駆動することにより急速に冷却され、消弧される。
【００３１】
即ち、本発明の実施例１は、接点上に発生したアークは、永久磁石の磁界および自身の電流により、電磁力を受け、その方向はフレミングの左手の法則に従う。接点上からみた磁界の方向は、中心線を軸に対称になっており、位置により異なっている。そのため、電磁力の方向も位置によって異なるため、電磁力を受け移動したアークは方向を変えて動くため、接点上で時計回りに円を描くように移動する。
【００３２】
永久磁石の極性が逆に配置された場合についても、電磁力の方向が１８０°反対になり、アークは逆方向の反時計回りに円を描くように駆動するため、先述した配置と同様の効果が得られるため、磁石の極性はどちらでもよく、組立て性も優れている。
また、電流の通電方向についても、同様の変化となるためどちらの方向でも同様の効果が得られ、通電方向によらない開閉性能を確保できる。
また、本実施例において、永久磁石の極性又は電流の通電方向を逆にした場合についても、アークの回転する方向が逆になるだけで同様の効果が得られる。また、磁石が固定接触子１２の下に隠れ、アークに晒されないため、永久磁石を保護するための部材が不要であり、経済面でも優れている。
【００３３】
（実施例２）
次に、本発明の実施例２について図を用いて説明する。
図８は、永久磁石１５を固定接点１３のサイドに配置した場合の固定接触子１２及び可動接触子１７の周辺の構成の斜視図を示す。
また、図８は、固定接触子１２を電源・負荷側方向に１／２カットした図を示しており、図２Ｂと異なる点は永久磁石の配置の位置である。
すなわち、永久磁石１５を、固定接点１３を配置する固定接触子１２の突起部１２１の固定接点１３の負荷側方向に配置している。
【００３４】
次に、図８に示した固定接点１３、永久磁石１５及び固定接触子の突起１２１の位置の上面図で、図９（ｂ）は中心線における断面図を示す。
図９（ａ）において、固定接点１３における接点間のアーク７０は、通電方向を可動接点から固定接点に流れる場合を考える場合を考えると、電流の方向は紙面に対し表から裏に垂直に流れる方向で、磁界の方向は永久磁石１５が固定接点１３の右側に配置されているので、矢印１００のような方向となりフレミングの左手の法則によって電磁力は矢印９０のように斜め右上方向に働く。
【００３５】
次に、アーク７０の足８０から電磁力によって移動した足８１において、電流の向きは紙面に対し表から裏に垂直に流れる方向で、磁界の方向は矢印１００（点線矢印）のように斜め左下方向であるので、電磁力は矢印１００のように斜め左上方向に働く。従って、アーク７０は足８１より斜め左上方向に移動し、足８２の位置に移る。
次に、アーク７０が足８２にあるとき、足８２では電流の方向は紙面に対し表から裏に垂直方向に流れ、磁界の方向は矢印１０２に示すように斜め左上方向であるため、電磁力は矢印９２のように斜め右上方向の力が働く。従って、アーク７０は足８２より足８３に移動する。
【００３６】
次に、アーク７０が足８３にあるとき、足８３では電流の方向は紙面に対し表から裏に垂直方向に流れ、磁界の方向は矢印１０３に示すように斜め右上方向であるため、電磁力は矢印９３のように斜め右上方向の力が働き、この位置に留まっている。
即ち、負荷側よりみて、アーク７０は固定接点１３上の左半面の領域では円を描くように動き、固定接点１３上の右半面の領域では留まった状態となる。
そして、負荷側から見て、左半面にて発生したアーク７０は、時計回りに円を描きながら右半面へと移動する。この際、消孤装置１８の内壁に接触しながら駆動することにより急速に冷却され、消弧される。
【００３７】
また、負荷側から見て右半面にて発生したアークについては、消弧装置17の内壁側面に早急に接触するため、早い段階でアークを冷却し消弧する。
【００３８】
次に、図９（ｂ）に図９（ａ）の中心線の断面図を示す。
図９（ｂ）において、固定接点１３の負荷側に永久磁石１５を固定接触子１２の突起部１２１に配置し、永久磁石１５の固定接点側をＮ極とし、負荷側をＳ極としている。このような永久磁石１５の配置により、磁力線はＮ極より全周に渡り放射状に出て放物線でＳ極に戻る。従って、固定接点１３では図９（ａ）に示す磁界の方向となる。また、実施例２では永久磁石１５を固定接点１３の負荷側に配置しているが、電源側に配置しても効果は同じである。
【符号の説明】
【００３９】
１０‥回路遮断器、
１１‥電源側端子、
１２‥固定接触子
１３‥固定接点、
１４‥アークランナ、
１５‥永久磁石、
１６‥可動接点、
１７‥可動接触子、
１８‥消孤装置、
１９‥開閉機構（点線枠）、
２０‥引き外し装置（点線枠）
２１、２４‥導体、
２２‥バイメタル、
２５‥負荷側端子、
２６‥可動部、
２７‥可動接触子の回動支点、
２８‥可動コア、
２９‥固定コア、
３０‥ケース、
３１‥カバー
４０‥磁力線
４１，４２，４３，４４，４５，４６‥アークの足
５１，５２，５３，５４，５５，５６‥磁界の向き
６１，６２，６３，６４，６５，６６‥電磁力の方向
７０，７１，７２，７３‥アーク
１２１‥固定接触子の細長い突起部
１２２‥打ち抜き部
１４１‥アークランナのつい立て
【図１】
2014183028.tif 000003
【図２Ａ】
2014183028.tif 000004
【図２Ｂ】
2014183028.tif 000005
【図３Ａ】
2014183028.tif 000006
【図３Ｂ】
2014183028.tif 000007
【図３Ｃ】
2014183028.tif 000008
【図４】
2014183028.tif 000009
【図５】
2014183028.tif 000010
【図６Ａ】
2014183028.tif 000011
【図６Ｂ】
2014183028.tif 000012
【図７】
2014183028.tif 000013
【図８】
2014183028.tif 000014
【図９】
2014183028.tif 000015